(57)【要約】【課題】シリンジポンプを用いた薬液投与を含む多種多様な用途において目盛部を容易に視認することが可能なシリンジを提供する。【解決手段】シリンジ外筒１２に目盛部２６が設けられたシリンジ１０であって、目盛部２６は、シリンジ外筒１２の周方向の異なる位置に、異なる向きで設けられた第１の目盛数字４２及び第２の目盛数字４４を有する。第１の目盛数字４２は、シリンジ外筒１２に対して縦向きに設けられ、第２の目盛数字４４は、シリンジ外筒１２に対して横向きに設けられる。【選択図】図１
2018027456.tif 000002
【特許請求の範囲】
【請求項１】
シリンジ外筒に目盛部が設けられたシリンジであって、
前記目盛部は、前記シリンジ外筒の周方向の異なる位置に、異なる向きで設けられた第１の目盛数字及び第２の目盛数字を有する、
ことを特徴とするシリンジ。
【請求項２】
請求項１記載のシリンジにおいて、
前記第１の目盛数字は、前記シリンジ外筒に対して縦向きに設けられ、
前記第２の目盛数字は、前記シリンジ外筒に対して横向きに設けられる、
ことを特徴とするシリンジ。
【請求項３】
請求項１又は２記載のシリンジにおいて、
前記第１の目盛数字は、前記シリンジがシリンジポンプに装着された状態で、少なくとも斜め上方から視認可能であり、
前記第２の目盛数字は、前記シリンジが前記シリンジポンプに装着された状態で、少なくとも水平方向から視認可能である、
ことを特徴とするシリンジ。
【請求項４】
請求項１〜３のいずれか１項に記載のシリンジにおいて、
前記シリンジ外筒の基端には、当該シリンジ外筒の軸線を基準として互いに反対の半径外方向に突出した一対の指掛け部が設けられ、
前記シリンジ外筒の前記軸線を通り且つ前記一対の指掛け部の突出方向軸に対して垂直な方向の軸を基準位置として、前記シリンジ外筒の周方向一方側を正の角度としたとき、０°〜＋９０°の角度範囲に前記第１の目盛数字が配置され、０°〜−９０°の角度範囲に前記第２の目盛数字が配置される、
ことを特徴とするシリンジ。
【請求項５】
請求項４記載のシリンジにおいて、
前記突出方向軸に対して垂直な方向の軸に沿って前記目盛部を見たとき、前記第１の目盛数字が視認可能であり、
前記突出方向軸に沿って前記目盛部を見たとき、前記第２の目盛数字が視認可能である、
ことを特徴とするシリンジ。
【請求項６】
請求項４記載のシリンジにおいて、
前記目盛部の周方向中心線は、前記基準位置に対して前記シリンジ外筒の周方向にずれている、
ことを特徴とするシリンジ。
【請求項７】
請求項１〜６のいずれか１項に記載のシリンジにおいて、
前記第１の目盛数字と前記第２の目盛数字との、前記シリンジ外筒の周方向における離間角度は、８０°〜１７０°である、
ことを特徴とするシリンジ。
【発明の詳細な説明】
【技術分野】
【０００１】
本発明は、シリンジ外筒に目盛部が設けられたシリンジに関する。
【背景技術】
【０００２】
体内への薬液の注入等に際してシリンジが広く使用されている。一般に、シリンジは、細径の先端部を有する中空状のシリンジ外筒と、先端にガスケットが設けられシリンジ外筒内に摺動可能に挿入される押子とを備える。
【０００３】
シリンジの用途は多種多様であるが、例えば、患者へ薬液（薬剤、栄養剤等）を正確且つ長時間にわたり送液する際には、シリンジポンプに載置及び固定して用いられる。シリンジポンプは、載置及び固定されたシリンジの押子をスライダによって正確に速度制御しながら押し出すことにより高精度且つ自動的に送液ができる。
【０００４】
一般に、シリンジ外筒には、シリンジ外筒内の薬液の量を示す目盛部が設けられる（例えば、下記特許文献１、２を参照）。上記のようにシリンジポンプを用いて薬液の自動投与を行う場合では、薬液容器から薬液を吸引する際、目盛部を見て吸引量を確認する。そして、シリンジポンプにシリンジを装着した状態では、目盛部を見て注入量（投与量）を確認する。
【先行技術文献】
【特許文献】
【０００５】
【特許文献１】特開２００８−２７２１６２号公報
【特許文献２】実用新案登録第３１２６５２３号公報
【発明の概要】
【発明が解決しようとする課題】
【０００６】
ところで、シリンジポンプの設置高さや設置角度は様々であり、シリンジポンプに装着されたシリンジに対する目線角度も、見る者の身長や姿勢によって様々である。このため、シリンジポンプの設置高さや設置角度、シリンジに対する目線角度によって目盛部に付された数字（目盛数字）が見えない、あるいは見えにくい場合がある。また、シリンジの用途は多種多様であることから、多種多様な用途において目盛数字を容易に視認できることが望ましい。
【０００７】
本発明はこのような課題を考慮してなされたものであり、シリンジポンプを用いた薬液投与を含む多種多様な用途において目盛数字を容易に視認することが可能なシリンジを提供することを目的とする。
【課題を解決するための手段】
【０００８】
上記の目的を達成するため、本発明は、シリンジ外筒に目盛部が設けられたシリンジであって、前記目盛部は、前記シリンジ外筒の周方向の異なる位置に、異なる向きで設けられた第１の目盛数字及び第２の目盛数字を有することを特徴とする。
【０００９】
上記の構成によれば、シリンジ外筒に、周方向の異なる位置に異なる向きで第１の目盛数字と第２の目盛数字が設けられるため、シリンジ内の薬液等の液量を広い角度範囲で容易に視認することができる。従って、例えば、シリンジが取り付けられるシリンジポンプの設置高さ、設置角度や、目線角度が多様である場合にも、第１の目盛数字と第２の目盛数字の少なくとも一方を容易に視認することにより、液量を容易に確認することができる。
【００１０】
上記のシリンジにおいて、前記第１の目盛数字は、前記シリンジ外筒に対して縦向きに設けられ、前記第２の目盛数字は、前記シリンジ外筒に対して横向きに設けられてもよい。この構成によれば、例えば、シリンジ内への薬液の吸引の際、縦向きの第１の目盛数字を見ることでシリンジ内への吸引量を確認し易いと共に、シリンジポンプに装着した状態で横向きの第２の目盛数字を見ることで注入量（患者への送液量）を確認し易い。
【００１１】
上記のシリンジにおいて、前記第１の目盛数字は、前記シリンジがシリンジポンプに装着された状態で、少なくとも斜め上方から視認可能であり、前記第２の目盛数字は、前記シリンジが前記シリンジポンプに装着された状態で、少なくとも水平方向から視認可能であってもよい。この構成によれば、シリンジポンプに装着されたシリンジに設けられた目盛数字を、斜め上方と水平方向のいずれからでも視認可能である。従って、シリンジが装着されたシリンジポンプの設置高さ及び角度や、シリンジに対する目線角度に関わらず、シリンジ内の液量を容易に確認することができる。
【００１２】
上記のシリンジにおいて、前記シリンジ外筒の基端には、当該シリンジ外筒の軸線を基準として互いに反対の半径外方向に突出した一対の指掛け部が設けられ、前記シリンジ外筒の前記軸線を通り且つ前記一対の指掛け部の突出方向軸に対して垂直な方向の軸を基準位置として、前記シリンジ外筒の周方向一方側を正の角度としたとき、０°〜＋９０°の角度範囲に前記第１の目盛数字が配置され、０°〜−９０°の角度範囲に前記第２の目盛数字が配置されてもよい。この構成によれば、上記の角度範囲に第１の目盛数字と第２の目盛数字が配置されることで、シリンジがシリンジポンプに装着された状態で、第１の目盛数字と第２の目盛数字の少なくとも一方を容易に視認することができる。
【００１３】
上記のシリンジにおいて、前記突出方向軸に対して垂直な方向の軸に沿って前記目盛部を見たとき、前記第１の目盛数字が視認可能であり、前記突出方向軸に沿って前記目盛部を見たとき、前記第２の目盛数字が視認可能であってもよい。この構成によれば、シリンジポンプに装着されたシリンジを斜め上方から見る場合は第１の目盛数字を視認し易く、水平方向から見る場合は第２の目盛数字を視認し易い。よって、第１の目盛数字と第２の目盛数字の少なくとも一方を見ることによって、シリンジ内の薬液量を容易に確認することができる。
【００１４】
上記のシリンジにおいて、前記目盛部の周方向中心線は、前記基準位置に対して前記シリンジ外筒の周方向にずれていてもよい。この構成によれば、シリンジポンプに装着されたシリンジを水平方向から見る場合と斜め上方から見る場合のいずれの場合においても、第１の目盛数字と第２の目盛数字の少なくとも一方を容易に視認することができる。
【００１５】
上記のシリンジにおいて、前記第１の目盛数字と前記第２の目盛数字との、前記シリンジ外筒の周方向における離間角度は、８０°〜１７０°であってもよい。この構成によれば、種々の用途、使用条件等において、第１の目盛数字と前記第２の目盛数字のいずれかを容易に視認することができる。
【発明の効果】
【００１６】
本発明のシリンジによれば、シリンジポンプを用いた薬液投与を含む多種多様な用途において目盛部を容易に視認することができる。
【図面の簡単な説明】
【００１７】
【図１】本発明の一実施形態に係るシリンジの全体構成を示す平面図である。
【図２】図１に示したシリンジにおけるシリンジ外筒の平行部を平面上に展開した図であって、第１の目盛数字と第２の目盛数字の配置位置を説明する図である。
【図３】図１に示したシリンジを先端管部側から見た図であって、第１の目盛数字と第２の目盛数字の配置位置を説明する図である。
【図４】図１に示したシリンジと、当該シリンジが装着されるシリンジポンプを示す斜視図である。
【図５】シリンジポンプの設置状態を示す斜視図である。
【図６】シリンジポンプ及びシリンジと、目線角度との関係を説明する図である。
【図７】図７Ａは、目盛部の見え方を説明する図であり、図７Ｂは、目盛部の別の見え方を説明する図であり、図７Ｃは、目盛部のさらに別の見え方を説明する図であり、図７Ｄは、目盛部のさらに別の見え方を説明する図である。
【発明を実施するための形態】
【００１８】
以下、本発明に係るシリンジについて好適な実施形態を挙げ、添付の図面を参照しながら説明する。
【００１９】
図１は、本発明の一実施形態に係るシリンジ１０の全体構成を示す平面図である。シリンジ１０は、本体部を構成するシリンジ外筒１２と、シリンジ外筒１２内に摺動可能に挿入される押子１４とを備える。
【００２０】
シリンジ外筒１２は、軸方向に延在する内腔１５（中空部）を有する胴体部１６と、胴体部１６の先端部から先端方向に突出する先端管部１８と、胴体部１６の基端部に設けられたフランジ部２０とを有する。胴体部１６、先端管部１８及びフランジ部２０は、一体的に形成されている。
【００２１】
胴体部１６は、内径一定の平行部２２と、平行部２２の先端から先端管部１８に向かって縮径するテーパ部２４とからなり、全体として、中空円筒状に形成される。胴体部１６の基端には、内腔１５に連通する基端開口１２ｂが設けられる。胴体部１６の外周面には、薬液の量を示す目盛部２６が設けられる。
【００２２】
先端管部１８は、内腔１５に連通する薬剤吐出口１２ａを形成するものであり、ルアーコネクタとして構成されている。先端管部１８の外側には、先端管部１８と同心状に胴体部１６の先端部から軸線方向に突出し、内周面に雌ネジ部２７が形成されたロック部２８が設けられている。先端管部１８には、チューブ３０（図４参照）の一端が接続可能である。チューブ３０の他端には、図示しない留置針等が接続されて患者に薬液を注入することができる。
【００２３】
フランジ部２０は、シリンジ外筒１２の軸線ａ０を基準として互いに反対の半径外方向に突出した一対の指掛け部２０ａ、２０ａを有する。図示例のフランジ部２０は、略楕円形状である（図３及び図４参照）。フランジ部２０の短径方向幅は、シリンジ外筒１２の外径よりもやや幅広である。フランジ部２０の長径方向幅は、短径方向幅よりも大きく、人が指を掛けることのできる程度の幅に設定されている。
【００２４】
シリンジ外筒１２の構成材料は、特に限定されないが、例えばポリプロピレン、ポリウレタン、ポリエチレン、環状ポリオレフィン、ポリメチルペンテン１等のポリオレフィンや、ポリエステル、ナイロン、ポリカーボネート、ポリメチルメタクリレート（ＰＭＭＡ）、ポリエーテルイミド（ＰＥＩ）、ポリエーテルサルホン、ポリエーテルエーテルケトン（ＰＥＥＫ）、フッ素樹脂、ポリフェニレンサルファイド（ＰＰＳ）、ポリアセタール樹脂（ＰＯＭ）等の樹脂性材料や、ステンレス等の金属性材料、ガラス等で形成されるとよい。
【００２５】
また、シリンジ外筒１２の構成材料は、内部の視認性を確保するために、実質的に透明であるのが好ましい。また、高圧に耐えられる強度や弾性、耐薬品性があることが好ましい。
【００２６】
図１において、押子１４は、シリンジ外筒１２内で液密に且つ軸方向に摺動可能であり薬液を送り出すガスケット３２と、先端がガスケット３２に接続された押子本体３４とを有する。
【００２７】
ガスケット３２は、断面円形であり、弾性材料により構成される。ガスケット３２は、シリンジ外筒１２のテーパ部２４の傾斜と略同じ傾斜のテーパ先端面３３を有する。ガスケット３２の外周面は、全周にわたって、シリンジ外筒１２の内周面と液密に密着する。シリンジ外筒１２及びガスケット３２の先端面によって囲まれた空間により、シリンジ外筒１２の内部に液室が形成される。
【００２８】
ガスケット３２の構成材料としては、特に限定されないが、例えばオレフィン系エラストマーや、スチレン系エラストマー、ポリエステルエラストマー、ポリウレタンエラストマー、シリコーンゴム、ブチルゴム、フッ素ゴム等の加硫ゴム、さらにそれらにフッ素樹脂コートしたもの等で形成され得る。
【００２９】
押子本体３４は、先端がガスケット３２に接続され所定長さ延在する軸部３６と、軸部３６の基端に設けられた押子フランジ３８とを有する。軸部３６は、本図示例では、断面十字形状となっており、十分な剛性を有すると共に軽量な構成となっている。押子フランジ３８は、人が親指で押すことができる程度の面積で、適度に薄く形成される。軸部３６及び押子フランジ３８は、一体的に形成される。
【００３０】
押子本体３４の構成材料としては、上述したシリンジ外筒１２の構成材料として例示したものから選択することができる。
【００３１】
上記のように構成されるシリンジ１０の容量は、特定の容量に限定されず、例えば、５〜１００ｍＬの範囲で設定され得る。またこの場合、例えば、シリンジ１０の容量は、５ｍＬ、１０ｍＬ、２０ｍＬ、３０ｍＬ、５０ｍＬ、１００ｍＬの各容量に設定され得る。
【００３２】
次に、目盛部２６の構成について具体的に説明する。図１に示すように、目盛部２６は、複数の目盛線４０と、目盛線４０に付帯する第１の目盛数字４２及び第２の目盛数字４４とを有する。複数の目盛線４０は、シリンジ外筒１２の外周面において、周方向に延在し、シリンジ外筒１２の軸方向に互いに間隔をおいて設けられる。
【００３３】
複数の目盛線４０には、シリンジ外筒１２の軸方向に所定間隔毎に設けられた複数の太線４０ａと、各太線４０ａ間に等間隔に設けられた複数の細線４０ｂとを含む。図示例では、太線４０ａは、長いものと、短いものがあり、長いものは１０ｍＬ間隔で、短いものは５ｍＬ間隔で設けられる。
【００３４】
図１に示すように、第１の目盛数字４２と第２の目盛数字４４は、シリンジ外筒１２の周方向の異なる位置に、異なる向きで設けられる。具体的には、第１の目盛数字４２は、目盛線４０の周方向一方側に設けられ、第２の目盛数字４４は、目盛線４０の周方向他方側に設けられる。換言すれば、第１の目盛数字４２と第２の目盛数字４４との間に、目盛線４０が配置される。
【００３５】
本実施形態において、第１の目盛数字４２は、シリンジ外筒１２の軸方向に間隔をおいて複数設けられる。また、第１の目盛数字４２は、シリンジ外筒１２に対して縦向き（第１の目盛数字４２の各数字の上下方向が、シリンジ外筒１２の軸線方向となる向き）に設けられる。
【００３６】
本実施形態において、第２の目盛数字４４は、シリンジ外筒１２の軸方向に間隔をおいて複数設けられる。また、第２の目盛数字４４は、シリンジ外筒１２に対して横向き（第２の目盛数字４４の各数字の上下方向が、シリンジ外筒１２の周方向となる向き）に設けられる。
【００３７】
ここで、例えば、図２及び図３に示すように、シリンジ外筒１２の軸線ａ０を通り且つ一対の指掛け部２０ａ、２０ａの突出方向軸（フランジ部２０の長径方向軸ａ１）に対して垂直な方向の軸（フランジ部２０の短径方向軸ａ２）を基準位置（０°）として、シリンジ外筒１２の周方向一方側（図２で上方、図３で反時計方向）を正の角度とする。このとき、０°〜＋９０°の角度範囲（Ａ１）に第１の目盛数字４２が設けられ、０°〜−９０°の角度範囲（Ａ２）に第２の目盛数字４４が設けられる。
【００３８】
なお、第１の目盛数字４２、第２の目盛数字４４の位置（角度）に関しては、それぞれ、第１の目盛数字４２の周方向（矢印Ａ方向）中心位置を、第１の目盛数字４２の位置とみなし、第２の目盛数字４４の周方向（矢印Ａ方向）中心位置を、第２の目盛数字４４の位置とみなす。
【００３９】
図２に示すように、目盛部２６（第１の目盛数字４２、目盛線４０及び第２の目盛数字４４を含む目盛部２６全体）の周方向中心線Ｌ１は、フランジ部２０の短径方向軸ａ２（基準位置）に対してシリンジ外筒１２の周方向（図２ではマイナス方向）にδだけずれている。この場合、好ましくは、第１の目盛数字４２は、＋３０°〜＋６０°の角度範囲に設けられ、第２の目盛数字４４は、−４０°〜−９０の角度範囲に設けられる。
【００４０】
第１の目盛数字４２と第２の目盛数字４４との、シリンジ外筒１２の周方向における離間角度は、例えば、８０°〜１７０°程度に設定され、好ましくは、８０°〜１２０°程度に設定される。
【００４１】
シリンジ１０は、例えば、図４に例示するシリンジポンプ５０に装着して、患者に対する輸液等を行うことができる。シリンジポンプ５０は、全体形状が一方向（図４のＸ方向）にやや長尺に構成される。シリンジポンプ５０は、使用者による入力操作を行うと共に所定の情報が出力（表示等）される操作部５１と、シリンジ１０が載置及び固定されるシリンジ載置部５２と、シリンジ外筒１２を固定するためのクランプ５４と、シリンジ載置部５２に載置されたシリンジ１０の押子１４を駆動するための駆動部５６とを備える。
【００４２】
シリンジポンプ５０には、ＡＣケーブル５７の一端が接続される。ＡＣケーブル５７を介して、シリンジポンプ５０に外部電源（ＡＣ１００Ｖ、ＡＣ２００Ｖ等）からの電力が供給されるようになっている。
【００４３】
操作部５１には、シリンジポンプ５０の電源をオンオフするための電源スイッチ５５、送液量を設定するための設定ダイアル５８（図５も参照）、設定された送液量を表示する送液量表示部６０、操作に関する各種情報を表示する液晶モニタ６２、等が設けられる。
【００４４】
本図示例のシリンジ載置部５２には、凹状円弧面の湾曲部６４が設けられる。シリンジ外筒１２は先端管部１８が左側（Ｘ１方向）を指向する向きで、当該湾曲部６４に載置及び支持される。湾曲部６４のＸ２方向端部には、シリンジ外筒１２のフランジ部２０を保持及び位置決めするためのセット溝６６（図５参照）が設けられる。フランジ部２０がセット溝６６に保持された状態で、一対の指掛け部２０ａ、２０ａの突出方向は、シリンジポンプ５０の前後方向（Ｙ方向）と平行である。
【００４５】
図４において、クランプ５４は、操作部５１の上面から突出しＺ方向に昇降可能な昇降ロッド６８と、該昇降ロッド６８の上端に設けられた回転レバー７０とを有する。回転レバー７０は、弾性体によって下方向に常時、弾性的に付勢されている。シリンジ１０をシリンジ載置部５２に固定するには、まず、シリンジ載置部５２にシリンジ外筒１２を載置した後、図４の状態からクランプ５４を引き上げ、平面視で９０°回転させて回転レバー７０をシリンジ外筒１２の上方に配置する。次に、弾性体の弾性力によって回転レバー７０を下降させ、回転レバー７０の下面をシリンジ外筒１２の上面に当接させる。これにより、シリンジ外筒１２がシリンジ載置部５２に対して固定された状態となる。
【００４６】
駆動部５６は、シリンジ載置部５２のＸ２方向側に設けられており、Ｘ方向に移動するスライダ７２を有する。スライダ７２は、シリンジ載置部５２に載置されたシリンジ１０における押子フランジ３８を一対のレバー７４で保持し、該押子１４を押し出す機能を有する。
【００４７】
上記のように構成されたシリンジポンプ５０では、設定ダイアル５８で設定された送液量と、クランプ５４で検出されたシリンジ１０の種類（容量）に基づいて、Ｘ１方向への移動速度、すなわちスライダ７２が押子１４を押し込む速度を決定する。そして、正確に速度制御をしながら押子１４をシリンジ外筒１２側に向かって押し出すことにより送液をする。
【００４８】
本実施形態に係るシリンジ１０は、基本的には以上のように構成されるものであり、以下、シリンジ１０の使用方法との関係で、当該シリンジ１０の作用及び効果について説明する。
【００４９】
例えば、上述したシリンジポンプ５０及びシリンジ１０を使用して患者Ｐに輸液を行う場合、まず、シリンジポンプ５０へのシリンジ１０の装着に先立って、シリンジ１０内に薬液を充填する。この際、薬液の充填を行う者（操作者）は、薬液容器（薬液バッグ等）から薬液を吸引するために、シリンジ１０を操作者自身に対して縦向きに持って押子１４を引っ張り操作することが通常である。このとき、操作者からは、図１のようにシリンジ１０を見ることになる。第１の目盛数字４２は縦向きであるため、操作者にとって第１の目盛数字４２を読み取り易く、薬液の吸引量を容易に把握することができる。
【００５０】
次に、薬液が充填されたシリンジ１０をシリンジポンプ５０に装着する。シリンジポンプ５０は、例えば図５に示すように輸液スタンド８０の載置具８２に固定して斜めに設定した状態で使用される。載置具８２はシリンジポンプ５０を安定して保持したまま傾斜角度及び高さを任意に調整することができる。図５のようにシリンジ１０をシリンジポンプ５０に装着したら、操作部５１に対して必要な入力操作（送液量の設定等）を行って、送液を開始する。
【００５１】
図６は、患者Ｐが寝ているベッド７８の傍らに輸液スタンド８０が置かれ、当該輸液スタンド８０に複数（この例では上下方向に３つ）のシリンジポンプ５０が設置された状態を示す模式図である。各シリンジポンプ５０にはシリンジ１０が装着されている。図６の例では、高い位置、低い位置、それらの間の位置（中間高さ）の各位置に、水平に対して傾斜した状態でシリンジポンプ５０が設置されている。なお、図６に関連する以下の説明において、設置高さの異なるシリンジポンプ５０及びシリンジ１０を区別する場合には、添字ａ〜ｃを付して説明することとする。
【００５２】
また、図６の例では、中間高さに設置されたシリンジポンプ５０ｂは、他のシリンジポンプ５０ａ、５０ｃよりも水平に対する傾斜角度が大きくなっている。
【００５３】
医療従事者（医師、看護師等）は、送液中、シリンジポンプ５０に装着されたシリンジ１０を見て、その時点での注入量（患者Ｐへの送液量）を適宜確認する。具体的には、シリンジ外筒１２に設けられた目盛部２６を見て、注入量を確認する。
【００５４】
この場合、図６のように、様々な設置高さ及び角度のシリンジポンプ５０ａ〜５０ｃに装着されたシリンジ１０ａ〜１０ｃを見る場合、見る者の身長や姿勢によって目の高さが異なるため、シリンジ１０ａ〜１０ｃに対する目線角度も異なってくる。例えば、図６において、高い位置のシリンジポンプ５０ａに装着されたシリンジ１０ａを、それと同程度の高さから見る場合の目線角度（Ａ）は、水平方向（あるいは水平に近い方向）である。中間高さのシリンジポンプ５０ｂに装着されたシリンジ１０ｂを、それよりも高い位置から見る場合の目線角度（Ｂ）は、斜め下方向である。中間高さのシリンジポンプ５０ｂに装着されたシリンジ１０ｂを、それと同程度の高さから見る場合の目線角度（Ｃ）は、水平方向（あるいは水平に近い方向）である。低い高さのシリンジポンプ５０ｃに装着されたシリンジ１０ｃを、それよりも高い位置から見る場合の目線角度（Ｄ）は、斜め下方向である。
【００５５】
シリンジポンプ５０ａに装着されたシリンジ１０ａを水平方向（あるいは水平に近い方向）から見る目線角度（Ａ）の場合、目盛部２６は、例えば図７Ａのように見える。図７Ａの場合、第１の目盛数字４２は見えにくいが、第２の目盛数字４４は容易に視認することができる。また、この場合、第２の目盛数字４４は、シリンジ外筒１２に対して横向きであるため読み取り易い。
【００５６】
シリンジポンプ５０ｂに装着されたシリンジ１０ｂを斜め上方向から見る目線角度（Ｂ）の場合、目盛部２６は、例えば図７Ｂのように見える。図７Ｂの場合、第２の目盛数字４４は視認しにくいが、第１の目盛数字４２は容易に視認することができる。
【００５７】
シリンジポンプ５０ｂに装着されたシリンジ１０ｂを水平方向（あるいは水平に近い方向）から見る目線角度（Ｃ）の場合、目盛部２６は、例えば図７Ｃのように見える。図７Ｃの場合、第１の目盛数字４２と第２の目盛数字４４の両方を容易に視認することができる。また、この場合、第２の目盛数字４４は、シリンジ外筒１２に対して横向きであるため読み取り易い。
【００５８】
シリンジポンプ５０ｃに装着されたシリンジ１０ｃを斜め上方向から見る目線角度（Ｄ）の場合、目盛部２６は、例えば図７Ｄのように見える。図７Ｄの場合、第１の目盛数字４２は視認することができないが、第２の目盛数字４４は容易に視認することができる。
【００５９】
以上説明したように、本実施形態に係るシリンジ１０によれば、シリンジ外筒１２に、周方向の異なる位置に異なる向きで第１の目盛数字４２と第２の目盛数字４４が設けられるため、シリンジ１０内の薬液等の液量を広い角度範囲で容易に視認することができる。従って、例えば、シリンジ１０が取り付けられるシリンジポンプ５０の設置高さ、設置角度や、目線角度が多様である場合にも、第１の目盛数字４２と第２の目盛数字４４の少なくとも一方を容易に視認することにより、シリンジ１０内の液量を容易に確認することができる。
【００６０】
特に、本実施形態の場合、第１の目盛数字４２は、シリンジ外筒１２に対して縦向きに設けられ、第２の目盛数字４４は、シリンジ外筒１２に対して横向きに設けられる。この構成により、例えば、シリンジ１０内への薬液の吸引の際、縦向きの第１の目盛数字４２を見ることでシリンジ１０内への吸引量を確認し易いと共に、シリンジポンプ５０に装着した状態で横向きの第２の目盛数字４４を見ることで注入量（患者Ｐへの送液量）を確認し易い。
【００６１】
また、本実施形態の場合、第１の目盛数字４２は、シリンジ１０がシリンジポンプ５０に装着された状態で、少なくとも斜め上方から視認可能であり、第２の目盛数字４４は、シリンジ１０がシリンジポンプ５０に装着された状態で、少なくとも水平方向から視認可能である。この構成によれば、シリンジポンプ５０に装着されたシリンジ１０に設けられた目盛数字を、斜め上方と水平方向のいずれからでも視認可能である。従って、シリンジ１０が装着されたシリンジポンプ５０の設置高さ及び角度や、シリンジ１０に対する目線角度に関わらず、シリンジ１０内の液量を容易に確認することができる。
【００６２】
さらに、本実施形態の場合、フランジ部２０の短径方向軸ａ２を基準として、０°〜＋９０°の角度範囲に第１の目盛数字４２が配置され、０°〜−９０°の角度範囲に前記第２の目盛数字４４が配置され、しかも、目盛部２６の周方向中心線Ｌ１は、短径方向軸ａ２の位置（基準位置）に対してシリンジ外筒１２の周方向にずれている。このような角度範囲に第１の目盛数字４２と第２の目盛数字４４が配置されることで、シリンジ１０がシリンジポンプ５０に装着された状態で、第１の目盛数字４２と第２の目盛数字４４の少なくとも一方を容易に視認することができる。
【００６３】
本実施形態の場合、フランジ部２０の突出方向軸（長径方向軸ａ１）に対して垂直な方向の軸（短径方向軸ａ２）に沿って目盛部２６を見たとき、第１の目盛数字４２が視認可能であり、フランジ部２０の突出方向軸（長径方向軸ａ１）に沿って目盛部２６を見たとき、第２の目盛数字４４が視認可能である。この構成によれば、シリンジポンプ５０に装着されたシリンジ１０を斜め上方から見る場合は第１の目盛数字４２を視認し易く、水平方向から見る場合は第２の目盛数字４４を視認し易い。よって、第１の目盛数字４２と第２の目盛数字４４の少なくとも一方を見ることによって、シリンジ１０内の液量（注入量）を容易に確認することができる。
【００６４】
また、例えば、第１の目盛数字４２と第２の目盛数字４４との、シリンジ外筒１２の周方向における離間角度が８０°〜１７０°であると、種々の用途、使用条件等において、第１の目盛数字４２と第２の目盛数字４４のいずれかを容易に視認することができる。
【００６５】
上記において、本発明について好適な実施形態を挙げて説明したが、本発明は前記実施形態に限定されるものではなく、本発明の要旨を逸脱しない範囲において、種々の改変が可能なことは言うまでもない。
【符号の説明】
【００６６】
１０、１０ａ〜１０ｃ…シリンジ      １２…シリンジ外筒
１４…押子                          ２０…フランジ部
２６…目盛部                        ４０…目盛線
４２…第１の目盛数字                ４４…第２の目盛数字
５０、５０ａ〜５０ｃ…シリンジポンプ
【図１】
2018027456.tif 000003
【図２】
2018027456.tif 000004
【図３】
2018027456.tif 000005
【図４】
2018027456.tif 000006
【図５】
2018027456.tif 000007
【図６】
2018027456.tif 000008
【図７】
2018027456.tif 000009